(57)【要約】【課題】イジェクト機構が接触することによるコンタクトの損傷を回避することができると共に、低背化を図ることができる、挿入されたＳＩＭカード等のカードを簡易な構成で排出できるカードコネクタを提供する。【解決手段】カードコネクタ１において、挿入されたカードＣを排出するためのイジェクト機構４０は、平面から見てハウジング１０のコンタクト設置領域１７に重ならないイジェクト機構配置領域１８に配置される。イジェクト機構４０は、カードＣの挿入時にカードＣによりカード挿入方向に押圧される第１スライダ４１と、第１スライダ４１に隣接して設けられ、カードＣの排出時に押圧される第２スライダ４２と、滑車４４又は支軸部を介して第１スライダ４１及び第２スライダ４２を連結する連結帯４３とからなる。カードＣの排出時に第２スライダ４２を押圧すると、連結帯４３を介して第１スライダ４１がカード排出方向に移動し、カードＣを排出する。【選択図】図１３
2014235938.tif 000002
【特許請求の範囲】
【請求項１】
カードが挿入されるハウジングと、該ハウジングに固定され、前記ハウジングに挿入されたカードに接触する複数のコンタクトと、前記ハウジングに挿入されたカードを排出するためのイジェクト機構とを備えたカードコネクタであって、
前記イジェクト機構は、平面から見て前記ハウジングのコンタクト設置領域に重ならないイジェクト機構配置領域に配置されると共に、カードの挿入時にカードによりカード挿入方向に押圧される第１スライダと、該第１スライダに隣接して設けられ、カードの排出時に押圧される第２スライダと、滑車又は支軸部を介して前記第１スライダ及び前記第２スライダを連結する連結帯とからなり、
カードの排出時に前記第２スライダを押圧すると、前記連結帯を介して前記第１スライダがカード排出方向に移動し、前記ハウジングに挿入されたカードを排出することを特徴とするカードコネクタ。
【請求項２】
前記第１スライダの移動方向と前記第２スライダの移動方向とが同じであることを特徴とする請求項１記載のカードコネクタ。
【請求項３】
前記第２スライダは、カードの排出時にピン状部材によって押圧されることを特徴とする請求項１又は２記載のカードコネクタ。
【発明の詳細な説明】
【技術分野】
【０００１】
本発明は、メモリカードやＳＩＭ（加入者識別モジュール）カードなどのカードが挿入され、挿入されたカードを排出することができるカードコネクタに関する。
【背景技術】
【０００２】
従来、例えば、メモリカードやＳＩＭカードなどのカードが挿入されるカードコネクタにおいては、挿入されたカードを排出するためのイジェクト機構を有しているのが一般的である。
従来、カードバスとしてのＰＣカードが挿入されると共に、挿入されたＰＣカードを排出するためのイジェクト機構を有するカードバス用コネクタとして、例えば、図１７に示すもの（特許文献１参照）が知られている。
【０００３】
図１７に示すカードバス用コネクタ１０１は、ＰＣカード（図示せず）が挿入されるハウジング１１０と、ハウジング１１０の幅方向（図１７における左右方向）に沿って列状に設けられた複数のピンコンタクト１２０と、イジェクト機構１３０とを備えている。
ここで、イジェクト機構１３０は、ハウジング１１０に挿入されたＰＣカードを排出するためのものであり、ハウジング１１０の幅方向略中央部に設けられた固定金具１１１に回動可能に軸支されたイジェクトアーム１３１を備えている。ハウジング１１０の側面には、イジェクトアーム１３１の一端１３１ａに連結されてイジェクトアーム１３１を駆動するスライドアーム１３２が設けられている。また、スライドアーム１３２には、スライドアーム１３２をスライドさせる操作ツマミ１３３，１３４が設けられている。
【０００４】
ハウジング１１０にＰＣカードが挿入されると、ＰＣカードがピンコンタクト１２０に電気的に接続される。ＰＣカードを排出する際には、操作ツマミ１３４，１３３をカード挿入方向（図１７における上方）に押圧する。すると、スライドアーム１３２がカード挿入方向にスライドする。これにより、スライドアーム１３２に連結されたイジェクトアーム１３１が、固定金具１１１を中心に一端１３１ａがカード挿入方向奥側に他端１３１ｂがカード挿入方向手前側に回動する。これにより、スライドアーム１３２の他端１３１ｂがＰＣカードの前端部をカード排出方向（カード挿入方向の反対方向）に押圧し、ＰＣカードが排出される。
【先行技術文献】
【特許文献】
【０００５】
【特許文献１】特開平１０−１８９１３９号公報
【発明の概要】
【発明が解決しようとする課題】
【０００６】
しかしながら、この従来の図１７に示したカードバス用コネクタ１０１にあっては、以下の問題点があった。
即ち、カードバス用コネクタ１０１は、カードバスとしてのＰＣカードが電気的に接続されるものであり、ＰＣカードの挿入方向に平行に延びるピンコンタクト１２０にＰＣカードが接続される。このため、イジェクトアーム１３１が固定金具１１１を中心に回動しても、ピンコンタクト１２０とイジェクトアーム１３１の上下方向位置が少しだけずれていれば、イジェクトアーム１３１はピンコンタクト１２０に接触しない。
【０００７】
しかしながら、ＰＣカードではなく、ＳＩＭカードなどのカードが挿入されるカードコネクタにおいては、当該カードが接触するコンタクトがカード挿入空間内で上方（あるいは下方）に向けて延びているのが一般的である。この際に、カードバス用コネクタ１０１に用いたような回動するタイプのイジェクトアーム１３１を前記カードコネクタに適用すると、イジェクトアーム１３１が回動した時にコンタクトに接触し、当該コンタクトが損傷するおそれがある。
【０００８】
イジェクトアーム１３１がコンタクトと接触するのを回避するため、イジェクトアーム１３１とコンタクトの上下方向位置を大きくずらし、イジェクトアーム１３１の回動範囲にコンタクトが位置しないようにすることができる。しかし、この場合、カードコネクタが高背化してしまい、低背化の要求にそぐわない。
従って、本発明は上述の問題点を解決するためになされたものであり、その目的は、イジェクト機構が接触することによるコンタクトの損傷を回避することができると共に、低背化を図ることができる、挿入されたＳＩＭカード等のカードを簡易な構成で排出できるカードコネクタを提供することにある。
【課題を解決するための手段】
【０００９】
上記目的を達成するために、本発明のある態様に係るカードコネクタは、カードが挿入されるハウジングと、該ハウジングに固定され、前記ハウジングに挿入されたカードに接触する複数のコンタクトと、前記ハウジングに挿入されたカードを排出するためのイジェクト機構とを備えたカードコネクタであって、前記イジェクト機構は、平面から見て前記ハウジングのコンタクト設置領域に重ならないイジェクト機構配置領域に配置されると共に、カードの挿入時にカードによりカード挿入方向に押圧される第１スライダと、該第１スライダに隣接して設けられ、カードの排出時に押圧される第２スライダと、滑車又は支軸部を介して前記第１スライダ及び前記第２スライダを連結する連結帯とからなり、カードの排出時に前記第２スライダを押圧すると、前記連結帯を介して前記第１スライダがカード排出方向に移動し、前記ハウジングに挿入されたカードを排出することを特徴としている。
【００１０】
また、このカードコネクタにおいて、前記第１スライダの移動方向と前記第２スライダの移動方向とが同じであることが好ましい。
更に、このカードコネクタにおいて、前記第２スライダは、カードの排出時にピン状部材によって押圧されるようにすると好適である。
【発明の効果】
【００１１】
本発明に係るカードコネクタによれば、イジェクト機構は、カードの挿入時にカードによりカード挿入方向に押圧される第１スライダと、第１スライダに隣接して設けられ、カードの排出時に押圧される第２スライダと、滑車又は支軸部を介して第１スライダ及び第２スライダを連結する連結帯とからなり、カードの排出時に第２スライダを押圧すると、連結帯を介して第１スライダがカード排出方向に移動し、ハウジングに挿入されたカードを排出するので、簡易な構成で挿入されたＳＩＭカード等のカードを排出することができるカードコネクタを提供できる。
【００１２】
そして、イジェクト機構は、平面から見てハウジングのコンタクト設置領域に重ならないイジェクト機構配置領域に配置されるので、イジェクト機構がコンタクトに接触することはなく、イジェクト機構が接触することによるコンタクトの損傷を回避することができる。また、イジェクト機構は、平面から見てハウジングのコンタクト設置領域に重ならないイジェクト機構配置領域に配置されるので、カードコネクタの低背化を達成することができる。
【図面の簡単な説明】
【００１３】
【図１】本発明に係るカードコネクタにおいてカードの挿入が完了した状態の斜視図である。但し、図１及び以下に説明する図２乃至図１６において、ピン状部材をともに示してある。
【図２】図１に示すカードの挿入が完了した状態のカードコネクタを示し、（Ａ）は平面図、（Ｂ）は正面図である。
【図３】図１に示すカードの挿入が完了した状態のカードコネクタを示し、（Ａ）は右側面図、（Ｂ）は左側面図である。
【図４】図１に示すカードの挿入が完了した状態のカードコネクタを示し、（Ａ）は背面図、（Ｂ）は底面図である。
【図５】図１に示すカードの挿入が完了した状態のカードコネクタからシェルを取り外した状態の斜視図である。
【図６】図１に示すカードの挿入が完了した状態のカードコネクタからシェルを取り外した状態の平面図である。
【図７】図１に示すカードの挿入が完了した状態のカードコネクタからシェル及びカードを取り外した状態の斜視図である。
【図８】図１に示すカードの挿入が完了した状態のカードコネクタからシェル及びカードを取り外した状態の平面図である。
【図９】本発明に係るカードコネクタにおいてカードの排出が完了した状態の斜視図である。
【図１０】図９に示すカードの排出が完了した状態のカードコネクタを示し、（Ａ）は平面図、（Ｂ）は正面図である。
【図１１】図９に示すカードの排出が完了した状態のカードコネクタを示し、（Ａ）は右側面図、（Ｂ）は左側面図である。
【図１２】図９に示すカードの排出が完了した状態のカードコネクタを示し、（Ａ）は背面図、（Ｂ）は底面図である。
【図１３】図９に示すカードの排出が完了した状態のカードコネクタからシェルを取り外した状態の斜視図である。
【図１４】図９に示すカードの排出が完了した状態のカードコネクタからシェルを取り外した状態の平面図である。
【図１５】図９に示すカードの排出が完了した状態のカードコネクタからシェル及びカードを取り外した状態の斜視図である。
【図１６】図９に示すカードの排出が完了した状態のカードコネクタからシェル及びカードを取り外した状態の平面図である。
【図１７】従来のイジェクト機構を有するカードバス用コネクタの一例の平面図である。
【発明を実施するための形態】
【００１４】
以下、本発明の実施の形態を図面を参照して説明する。
図１乃至図４（Ａ），（Ｂ）には、本発明に係るカードコネクタにおいてカードの挿入が完了した状態が示されている。また、図５及び図６には、カードの挿入が完了した状態のカードコネクタからシェルを取り外した状態が示されている。更に、図７及び図８には、カードの挿入が完了した状態のカードコネクタからシェル及びカードを取り外した状態が示されている。
【００１５】
ここで、カードコネクタ１は、回路基板(図示せず)上に実装され、メモリカード、ＳＩＭカード等などのカードＣが挿入及び抜去される。カードＣがカードコネクタ１に挿入されることにより、カードＣと回路基板との電気的接続が達成される。
そして、カードコネクタ１は、図１乃至図４（Ａ），（Ｂ）に示すように、合成樹脂製のハウジング１０と、金属製の複数のコンタクト２０と、金属製のシェル３０と、イジェクト機構４０とを備えている。
【００１６】
ここで、ハウジング１０は、図７及び図８に示すように、幅方向（図８における左右方向）及び前後方向（図８における下方を前方、上方を後方）に延びる略矩形状に形成された底壁１１を備えている。ハウジング１０は、合成樹脂を成形することによって形成される。また、ハウジング１０は、底壁１１の幅方向左縁から立ち上がる左側壁１２と、底壁１１の幅方向右側縁から立ち上がる右側壁１３と、底壁１１の後端から立ち上がる後壁１４とを備えている。また、ハウジング１０の後壁１４には、当該後壁１４から前方に突出する突出部１５が設けられている。ハウジング１０は、上面及び前面が開口している。ハウジング１０には、図１に示すように、金属製のシェル３０がハウジング１０の上方を覆うように装着され、シェル３０と底壁１１との間にカード挿入空間１６が形成される。
【００１７】
また、ハウジング１０の底壁１１には、図７及び図８に示すように、平面から見て重ならないコンタクト設置領域１７とイジェクト機構配置領域１８とが設けられる。イジェクト機構配置領域１８は、底壁１１の幅方向右側縁近傍に形成され、コンタクト設置領域１７は、底壁１１のイジェクト機構配置領域１８を除いた部分に形成される。コンタクト設置領域１７には、図７及び図８に示すように、複数のコンタクト２０が前後２列状に設置されている。また、イジェクト機構配置領域１８には、イジェクト機構４０が配置されている。イジェクト機構配置領域１８には、図８に示すように、後壁１４から前方に向けて延びる第１スライダ収容溝１８ａと、第１スライダ収容溝１８ａと平行に後壁１４から前方に向けて延びる第２スライダ収容溝１８ｄとが形成されている。第１スライダ収容溝１８ａには、後述する第１スライダ４１の本体部４１ａが収容される。また、第２スライダ収容溝１８ｄには、後述する第２スライダ４２が収容される。
【００１８】
そして、第２スライダ収容溝１８ｄは、右側壁１３の内側において右側壁１３に沿って配置される。第１スライダ収容溝１８ａは、第２スライダ収容溝１８ｄの内側において第２スライダ収容溝１８ｄに対して仕切り壁１８ｃを挟んで配置される。仕切り壁１８ｃ及び第２スライダ収容溝１８ｄは、図７及び図８に示すように、後壁１４から前方に向けてハウジング１０の前後方向略中央部に至るまで延びる。第１スライダ収容溝１８ａは、後壁１４から前方に向けて仕切り壁１８ｃの前端よりも前方位置に至るまで延びる。また、第１スライダ収容溝１８ａの前方には、第１スライダ収容溝１８ａに収容された第１スライダ４１の前方移動を規制する第１スライダ用ストッパ１８ｆが設けられている。また、第２スライダ収容溝１８ｄの前方には、第２スライダ収容溝１８ｄに収容された第２スライダ４２の前方移動を規制する第２スライダ用ストッパ１８ｇが設けられている。また、図５乃至図８に示すように、第２スライダ収容溝１８ｄの前方であって、右側壁１３と第２スライダ用ストッパ１８ｇとの間には、ピン状部材受容開口１９が形成されている。ピン状部材受容開口１９は、ハウジング１０の前面に開口し、後述するピン状部材５０が挿入可能となっている。
【００１９】
次に、複数のコンタクト２０は、前述したように、ハウジング１０のコンタクト設置領域１７に、幅方向に沿って前後２列状に配置されている。各コンタクト２０は、カードＣの裏面に設けられた導電パッドＣ１（図４（Ｂ）及び図１２（Ｂ）参照）に接触するとともに、回路基板上に接続される。各コンタクト２０は、導電性金属板を打抜き及び曲げ加工することによって形成され、図４（Ｂ）、図７及び図８に示すように、導電パッドＣ１に接触する接触部２１と基板接続部２２とを有する。
【００２０】
また、シェル３０は、前述しように、ハウジング１０の上方を覆うようにハウジング１０に装着され、シェル３０とハウジング１０の底壁１１との間にカード挿入空間１６を形成する。シェル３０は、図１、図２（Ａ），（Ｂ）乃至図４（Ａ），（Ｂ）に示すように、ハウジング１０の上面を覆う平面部３１と、ハウジング１０の幅方向左側面を覆う左側面部３２と、ハウジング１０の幅方向右側面を覆う右側面部３３とを備えている。また、シェル３０は、ハウジング１０の後面を覆う後面部３４を備えている。平面部３１は、ハウジング１０の幅方向及び前後方向に延びる。左側面部３２及び右側面部３３は、平面部３１の幅方向各側面から下方に延びる。また、後面部３４は、平面部３１の前後方向後面から下方に延びている。シェル３０は、導電性金属板を打抜き及び曲げ加工することによって形成される。
【００２１】
また、イジェクト機構４０は、カード挿入空間１６に挿入されたカードＣを排出するためのものであり、図５乃至図８に示すように、ハウジング１０のイジェクト機構配置領域１８に配置される。このイジェクト機構４０は、第１スライダ４１と、第２スライダ４２と、第１スライダ４１と第２スライダ４２とを連結する連結帯４３とからなっている。
【００２２】
第１スライダ４１は、カードＣの挿入時にカードＣによりカード挿入方向（後方向）に押圧され、カードＣの排出時にカード排出方向（前方向）に移動し、ハウジング１０に挿入されたカードＣを排出するものである。第１スライダ４１は、図５乃至図８に示すカード挿入完了位置と、図１３乃至図１６に示すカード排出完了位置との間を移動する。第１スライダ４１は、図５乃至図８に示すように、前後方向に細長く延びる略直方体形状のスライダ本体４１ａと、スライダ本体４１ａの後端から内側（左側）に突出する当接部４１ｂとを備えている。第１スライダ４１は、合成樹脂を成形することによって形成される。スライダ本体４１ａは、第１スライダ収容溝１８ａ内に収容され、左右両側面が第１スライダ収容溝１８ａの左縁１８ｂと仕切り板１８ｃとに案内されて前後方向に移動する。当接部４１ｂは、ハウジング１０の底壁１１上のイジェクト機構配置領域１８に位置し、図５及び図６に示すように、カードＣの挿入時にカードＣの先端が当接する。イジェクト機構４０全体がハウジング１０のイジェクト機構配置領域１８に配置されるので、第１スライダ４１が前後方向に移動する際に第１スライダ４１はイジェクト機構配置領域１８から逸脱しない。このため、第１スライダ４１は、前後方向に移動する際にコンタクト設置領域１７に設置されているコンタクト２０に接触しない。
【００２３】
また、第２スライダ４２は、第１スライダ４１に隣接して設けられ、カードＣの排出時にピン状部材５０によってカード挿入方向（後方向）に押圧されるものである。第２スライダ４２は、後述するように、第１スライダ４１に連結帯４３によって滑車４４を介して連結されているので、カードＣの挿入時にはカード排出方向（前方向）に移動し、カードＣの排出時にカード挿入方向に移動する。第２スライダ４２は、図５乃至図８に示すカード挿入完了位置と図１３乃至図１６に示すカード排出完了位置との間を移動する。第２スライダ４２は、図５乃至図８に示すように、略直方体形状を有し、第２スライダ収容溝１８ｄ内に収容される。第２スライダ４２は、合成樹脂を成形することによって形成される。第２スライダ４２は、左右両側面が第２スライダ収容溝１８ｄの左縁１８ｅと右側壁１３とに案内されて前後方向に移動する。また、第２スライダ４２も前後方向に移動する際に、イジェクト機構配置領域１８から逸脱せず、コンタクト設置領域１７に設置されているコンタクト２０に接触しない。
【００２４】
更に、連結帯４３は、図５乃至図８に示すように、滑車４４を介して第１スライダ４１及び第２スライダ４２を連結する。連結帯４３の材質は、例えばポリイミド製であり、連結帯４３は第１スライダ４１及び第２スライダ４２にインサート成形あるいは熱溶着によって固着される。滑車４４は、円柱状の支軸部４４ａと、支軸部４４ａの外周に回動可能に設けられた回動輪４４ｂとからなっている。支軸部４４ａは、ハウジング１０の底壁１１の第１スライダ収容溝１８ａの前方側であって第１スライダ用ストッパ１８ｆの外側（右側）に立設される。連結帯４３は、第１スライダ４１のスライダ本体４１ａの後端と第２スライダ４２の後端とを連結し、滑車４４の外周に掛け渡される。
【００２５】
次に、イジェクト機構４０の動作について、図１乃至図１６を参照して説明する。図９乃至図１２（Ａ）,(Ｂ)には、本発明に係るカードコネクタにおいてカードの排出が完了した状態が示されている。図１３及び図１４には、カードの排出が完了した状態のカードコネクタからシェルを取り外した状態が示されている。また、図１５及び図１６には、カードの排出が完了した状態のカードコネクタからシェル及びカードを取り外した状態が示されている。
まず、カード挿入空間１６にカードＣが挿入されていない状態では、第１スライダ４１は、図１３乃至図１６に示すカード排出完了位置と同じ位置に位置する。第２スライダ４２も、図１３乃至図１６に示すカード排出完了位置と同じ位置に位置する。
【００２６】
そして、この状態で、カード挿入空間１６にカードＣを挿入する。すると、カードＣの先端が第１スライダ４１の当接部４１ｂに当接し（図１３及び図１４参照）、カードＣとともに第１スライダ４１がカード挿入方向（後方向）に移動する。そして、カードＣの先端がハウジング１０の突出部１５に当接し、第１スライダ４１は、図５乃至図８に示すカード挿入完了位置に位置する。この際に、第２スライダ４２は、第１スライダ４１の移動に伴い連結帯４３を介してカード排出方向（前方向）に移動し、図５乃至図８に示すカード挿入完了位置に位置する。第１スライダ４１及び第２スライダ４２が図５乃至図８に示すカード挿入完了位置に位置したときには、図１乃至図４（Ａ）,（Ｂ）に示すように、カードＣの挿入が完了する。
そして、カードＣの挿入が完了した状態では、図４（Ｂ）に示すように、カードＣの裏面に形成された導電パッドＣ１がコンタクト２０の接触部２１に接触し、カードＣと回路基板との電気的接続が達成されている。
【００２７】
次に、カード挿入空間１６に挿入されたカードＣを排出するときには、図１乃至図８に示すように、ピン状部材５０をカードコネクタ１のピン状部材受容開口１９から挿入する。すると、ピン状部材５０の先端が第２スライダ４２を押圧し、第２スライダ４２は、カード挿入方向（後方向）に移動し、図１３乃至図１６に示すカード排出完了位置に位置する。この際に、第１スライダ４１は、第２スライダ４２の移動に伴い連結帯４３を介してカード排出方向（前方向）に移動し、図１３乃至図１６に示すカード排出完了位置に位置する。これにより、図９乃至図１２（Ａ）,（Ｂ）に示すように、カード挿入空間１６に挿入されたカードＣは排出される。そして、カードＣをカードコネクタ１から引き抜けばよい。
【００２８】
このカードＣの排出が完了した状態では、カードＣの裏面に形成された導電パッドＣ１の、コンタクト２０の接触部２１に対する接触状態が解除される。
本実施形態に係るカードコネクタ１によれば、イジェクト機構４０は、カードＣの挿入時にカードＣによりカード挿入方向に押圧される第１スライダと、カードＣの排出時に押圧される第２スライダ４２と、滑車４４を介して第１スライダ４１及び第２スライダ４２を連結する連結帯４３とからなる。そして、カードＣの排出時に第２スライダ４２を押圧すると、連結帯４３を介して第１スライダ４１がカード排出方向に移動し、ハウジング１０に挿入されたカードＣを排出する。このため、簡易な構成で挿入されたＳＩＭカード等のカードＣを排出することができる。
【００２９】
また、イジェクト機構４０は、平面から見てハウジング１０のコンタクト設置領域１７に重ならないイジェクト機構配置領域１８に配置される。このため、第１スライダ４１及び第２スライダ４２が前後方向に移動する際にイジェクト機構配置領域１８から逸脱しない。従って、第１スライダ４１及び第２スライダ４２を含むイジェクト機構４０がコンタクト２０に接触しない。これにより、イジェクト機構４０が接触することによるコンタクト２０の損傷を回避することができる。また、イジェクト機構４０は、平面から見てハウジング１０のコンタクト設置領域１７に重ならないイジェクト機構配置領域１８に配置されるので、カードコネクタ１の低背化を達成することができる。
【００３０】
また、第１スライダ４１の移動方向と第２スライダ４２の移動方向とは、双方ともカード挿入方向（後方向）及びカード排出方向（前方向）であり、同じである。これにより、イジェクト機構４０の占有面積を小さくすることができる。つまり、第１スライダ４１の移動方向と第２スライダ４２の移動方向とを異ならせると、ハウジング１０の幅方向に拡がるようにイジェクト機構４０を配置する必要がある。そうすると、イジェクト機構４０の占有する面積が大きくなり、カードコネクタ１全体を小型化する要請にそぐわない。
【００３１】
以上、本発明の実施形態について説明してきたが、本発明はこれに限定されずい種々の変更、改良を行うことができる。
例えば、イジェクト機構４０において、必ずしも滑車４４を設ける必要はなく、連結帯４３が掛け渡されるものであれば、ハウジング１０から立設した支軸部であってもよい。支軸部は、その外周に少なくとも連結帯４３が掛け渡される円弧面を有することが好ましい。
【００３２】
また、第１スライダ４１の移動方向と第２スライダ４２の移動方向は異なっていても良い。例えば、第１スライダ４１の移動方向をカード挿入方向（後方向）及びカード排出方向（前方向）とし、第２スライダ４２の移動方向を第１スライダ４１の移動方向に対し斜めの方向とする場合である。
更に、第２スライダ４２は、カードＣの排出時にピン状部材５０によって押圧される必要は必ずしもない。例えば、ピン状部材５０ではなく、他の治具によって第２スライダ４２を押圧するようにしてもよい。また、カードＣの排出時に第２スライダ４２を押圧する部材を、イジェクト機構４０に付設するようにしてもよい。
【符号の説明】
【００３３】
１  カードコネクタ
１０  ハウジング
２０  コンタクト
４０  イジェクト機構
４１  第１スライダ
４２  第２スライダ
４３  連結帯
４４  滑車
５０  ピン状部材
Ｃ  カード
【図１】
2014235938.tif 000003
【図２】
2014235938.tif 000004
【図３】
2014235938.tif 000005
【図４】
2014235938.tif 000006
【図５】
2014235938.tif 000007
【図６】
2014235938.tif 000008
【図７】
2014235938.tif 000009
【図８】
2014235938.tif 000010
【図９】
2014235938.tif 000011
【図１０】
2014235938.tif 000012
【図１１】
2014235938.tif 000013
【図１２】
2014235938.tif 000014
【図１３】
2014235938.tif 000015
【図１４】
2014235938.tif 000016
【図１５】
2014235938.tif 000017
【図１６】
2014235938.tif 000018
【図１７】
2014235938.tif 000019